(57)【特許請求の範囲】
【請求項１】
軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を円錐形状とすると共に、その円錐形状部の傾き角度を、前記筆記体の先端の円錐部の傾き角度よりも大きくしたことを特徴とする多芯筆記具。
【請求項２】
軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を湾曲形成すると共に、その湾曲部の接線の傾き角度を、前記筆記体の先端の円錐部の傾き角度よりも大きくしたことを特徴とする多芯筆記具。
【発明の詳細な説明】
【０００１】
【産業上の利用分野】
本発明は、軸本体内に複数の筆記体を有し、該筆記体は弾撥部材により後方に付勢されるが、筆記体の後端に取り付けられているスライダ−を前進せしめ、該スライダ−を軸本体に係合させることにより、前記筆記体を軸本体から突出させるが如くなした多芯筆記具に関する。
【０００２】
【従来の技術】
実開昭５５−８５８８２号に示されるような多芯筆記具が、一般的に知られている。軸体内にシャ−プペンシルとボ−ルペンを摺動自在に配置すると共に、各々の上部に取り付けられているノック部片を押圧することにより、前記シャ−プペンシル、あるいは、ボ−ルペンを軸体より突出させるものである。
【０００３】
【発明が解決しようとする課題】
最近、透明な軸体が流行している。軸内を見ることができ、インキなどの残量確認ができるほか、清潔感が感じられ見栄も良い。
ボールペンやシャープペンシルは基より、従来技術で示した様な多芯筆記具の軸体も透明になって来ている。
しかし、上記従来技術にあっては、ボールペンやシャープペンシルの出没動作の際、筆記体の先端が軸本体の内面に接触してしまい、ボールペンにあっては先端に付着しているインキが転移してしまい見栄えを悪くしてしまっていた。特に、多芯筆記具であるが故に、複数の色のインキが転移し、それらが混じり合ってしまうこともあり、非常に汚い軸体になってしまっていた。
【０００４】
特に、図６に示されている例にあっては、シャープペンシルの先端に付着している芯粉が軸本体の内面に付着し、汚くしてしまうばかりでなく、先端の角部で軸本体を傷つけてしまい著しく見栄えを悪くしてしまっていた。
【０００５】
【課題を解決するための手段】
本発明は、上記問題点を解決するためになされたものであり、軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を円錐形状とすると共に、その円錐形状部の傾き角度を、前記筆記体の先端の円錐部の傾き角度よりも大きくしたことを第１の要旨とし、軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を湾曲形成すると共に、その湾曲部の接線の傾き角度を、前記筆記体の先端の円錐部の傾き角度よりも大きくしたことを第２の要旨とする。
【０００６】
【作用】
軸本体内面と筆記体先端との間には、筆記体の出没動作時においても常に隙間が形成される。
【０００７】
【実施例】
図１〜図５に１例を示し説明する。３色のボ−ルペンが摺動自在に配置されている多芯筆記具である。ボ−ルペンばかりではなく、シャ−プペンシルなどであっても良い。参照符号１は、軸本体であり、その軸本体１は、前軸２と後軸３とより構成されている。また、本例において、前軸２は、先部材４と中軸５の螺合構造により構成されているが、一体的に形成されていても良い。
【０００８】
前記後軸３には、その長手方向に３個のスリット６が形成されている。本例においては、３個のスリット６が形成されているが、筆記体であるボ−ルペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には、脚部８が形成されている。この脚部８は、スリット６が形成されることにより形成される。よって、筆記体の数によって脚部８の数も変わる。また、この脚部８の長さは、同一ではなく異なっている。具体的には、図６中右側の２つの脚８よりも、左側の脚の方が短めに形成されている。これは、後述するが、後軸３の中軸５への組み立ての容易性を図ったものである。
参照符号９は、後軸３の側面に形成されたクリップ部であり、そのクリップ部９の基部には、孔１０が形成されている。この孔１０は、ひもやくさりなどを通したりする孔である。
【０００９】
前記後軸３のスリット６には、スライダ−１１が摺動自在に配置されている。このスライダ−１１の長手方向の両側には、摺動突起１２が形成されており、前記スリット６に形成された摺動溝７に摺動自在に係合している。このスライダ−１１の背面には、間隔をおいて２つの解除突起１３、１４が形成されており、スライダ−１１の前端部には、筆記体を接続する球状の接続部１５が形成されている。そして、この接続部１５には、ボ−ルペンやシャ−プペンシルなどの筆記体１６が接続されている。参照符号１７は、筆記体１６並びに筆記体１６に接続するスライダ−１１を後方に付勢するコイルスプリングなどの弾撥部材である。
【００１０】
前記前軸２の１部材である中軸５の中間部には、規制部１８が形成されており、その規制部１８には、筆記体１６が遊挿する３つの貫通孔１９が形成されている。この規制部１８に弾撥部材１７の一端を係止させることにより、筆記体１６を後方に付勢しているものである。
また、中軸５の内側で、規制部１８の後方には、長手方向に３つの溝部２０が形成されており、この溝部２０に前記後軸３の脚部８が摺接され、組み立て時に脚部８が案内されるようになっている。
前記３つの溝部２０の間には、それぞれ、係合孔２１が形成されている。前記後軸３を中軸５に組み付けた際、この係合孔２１に後軸３の係合突起３ａが係合するものである。また、これらの係合孔２１並びに係合突起３ａの軸筒本体１の長手方向に体する形成位置は異なっている。具体的には、図６中右側の係合孔並びに係合突起は、他の係合孔並びに係合突起（クリップ部９の側）よりも前方に形成されている。これは、クリップ部９の側の係合孔並びに係合突起は、見えないようにするためにクリップ部９の下側に形成したものであり、また、他の係合孔並びに係合突起は、脚部の端部近傍に形成することにより、ねじれによる係合関係の脱落を防止したものである。
【００１１】
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
また、先部材４の内側は、湾曲形成されているが、その接線Ａの傾き角度ａは、筆記体１６の先端と筆記体１６の直径部分（外径部）とを結んだ線Ｂの傾き角度ｂよりも大きく設定されている。即ち、先部材４の内面の傾き角度ａは、筆記体１６の先端の円錐部１６ａの傾き角度ｂよりも大きく設定されているのである。これは、筆記体１６が移動する際、筆記体１６の先端が先部材４の内壁面に接触しないようにしたものである（図５参照）。最近、透明な軸が流行し、軸内面の汚れを防止したものである。従来のような筆記具にあっては、特に、筆記体１６がボ−ルペンの場合には、インキが軸内面に付着し、見栄えを悪くしてしまうものであった。
【００１２】
次に動作について説明する。特定のスライダ−１１を前方（図中下方）に押圧すると、スライダ−１１は、スリット６並びに摺動溝７に案内されながら、筆記体１６を伴い前進し、筆記体１６の先端が軸本体１の先端より突出する。と、同時に、スライダ−１１が軸筒本体１の内側に押し込まれ、次いで、スライダ−１１の側面部に形成されている摺動突起１２の後端が、摺動溝７の前端部に係合し、筆記体１６の後退作用を阻止する。つまり、この摺動溝７をスリット６の中間部までしか形成しないことにより、スライダ−１１の係合をも兼ねるようになっている。
【００１３】
次に、筆記体１６を軸本体１に収納したい場合には、他のスライダ−１１を押圧する。他のスライダ−１１を押圧すると、互いのスライダ−１１の背面に形成されている解除突起１３、１４が衝突する。この衝突作用により、押圧されている状態にあるスライダ−１１が軸筒本体１の外側方向に押圧される。そして、この押圧作用により、前記スライダ−１１の摺動突起と摺動溝７との係合が解除され、その解除作用により突出している状態にある筆記体１６が弾撥部材１７の作用により後退し軸本体１内に没入する。
【００１４】
次に組み立て方法について説明する。最初に、スライダ−１１の接続部１５にボ−ルペンなどの筆記体１６を連結せしめる。次いで、スライダ−１１の摺動突起１２を後軸３の摺動溝７に合わせ、押し込み嵌挿する。勿論、スライダ−１１はスリット６にも遊挿されるものである。３つのスライダ−１１が各々後軸３に嵌挿された状態で、次に、各筆記体１６に弾撥部材１７を遊挿する。これで、後軸がユニット化される。
【００１５】
次に、ユニット化された後軸を中軸５に連結せしめるが、このとき、最初に後軸３の長い方の脚部８を中軸５の溝部２０に合わせ、押し込み嵌挿させる。ここで、後軸３に対する中軸５の位置決めが略なされる。さらに後軸３を中軸５に対して押し込むと、短い方の脚部８が溝部２０に嵌挿し、完全に後軸３に対する中軸５の位置決めがなされる。さらに押し込むと、係合突起３ａが係合孔２１に係合し、後軸３と中軸５とが固定された状態になる。尚、この組み立て動作により、弾撥部材１７は、中軸５の規制部１８によって前方への移動が阻止されると共に、筆記体１６を後方に付勢する。最後に、先部材４を中軸５に螺着させる。
【００１６】
次に筆記体の交換の方法について図７を基に説明する。筆記体が、ボ−ルペンであるときには、インキがなくなってしまったときであり、シャ−プペンシルであるときには、芯がなくなり新たな芯を詰め替えるときである。
最初に、先部材４を中軸５から外す。次いで、交換する筆記体１６の露出部分を指などで持ち、スライダ−１１の接続部１５より引き抜く。このとき、スライダ−１１は、中軸５の後端に当接しスリット６に遊挿された状態で後軸３からの脱落を防止され、また、弾撥部材１７は、規制部１８により中軸５からの脱落を防止される。勿論、規制部１８は中軸５に一体的に形成されているので、中軸５からは脱落しない。次いで、新たな筆記体を中軸５の前方から貫通孔１９を通してスライダ−１１に圧入する。最後に、先部材４を中軸５に螺着させる。
尚、スライダ−１１の背面で、解除突起１４の下方には、係合防止突起２２が形成されている。これは、筆記体を交換する際、スライダ−が前進するとともに径方向に没入することでスライダ−が摺動溝７の端部に係止される（所謂、筆記体突出状態）のを防止するためである。そして、その係合の防止動作は、前進しているスライダ−１１の解除突起１３が後退状態にあるスライダ−１１の係合防止突起２２に当接することにより行なわれるものである（図８参照）。筆記体の交換時、弾撥部材を伸長した状態にすることで、その交換の容易性を図ったのである。図９に示すように、係合防止突起２２の前端面に傾斜面部２２ａを形成することにより、前進状態にあるスライダ−１１を軸本体の外方向に弾き飛ばしやすいようにしても良い。
【００１７】
図１０は、スライダ−の変形例である。スライダ−の前面部の形状をスリットの形状より大きく形成し、操作性を容易にしたものである。そして、このような形状のスライダ−であっても、スリットが後軸の端部まで形成されているので、後軸にスライダ−を、あるいは、筆記体を連結したスライダ−を容易に組み付けることができるものである。
【００１８】
【発明の効果】
本発明は、軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を円錐形状とすると共に、その円錐形状部の傾き角度を、前記筆記体の先端の円錐部の傾き角度よりも大きくしたことを第１の要旨とし、軸本体内に複数の筆記体を有し、該筆記体は弾撥部材により後方に付勢されているが、筆記体の後端に取り付けられているスライダ−を前進せしめ、該スライダ−を軸本体に係合させることにより、前記筆記体を軸本体から突出させるが如くなした多芯筆記具において、前記軸本体の前方部内面を湾曲形成すると共に、その湾曲部の接線の傾き角度を、前記筆記体の先端の円錐部の傾き角度よりも大きくしたことを第２の要旨としたので、筆記体の出没動作を行っても、軸本体の内面を汚すことのない多芯筆記具を提供することができる。
【図面の簡単な説明】
【図１】  本発明の実施例を示す要部縦断面図。
【図２】  図１のＡ−Ａ線断面図。
【図３】  図１のＢ−Ｂ線断面図。
【図４】  図１のＣ部拡大図。
【図５】  動作を示す要部拡大縦断面図。
【図６】  組み立て方法を示す要部縦断面図。
【図７】  筆記体の交換方法を示す要部縦断面図。
【図８】  図７のＤ部拡大図。
【図９】  図７に相当するスライダ−の変形例を示す拡大図。
【図１０】  図２に相当するスライダ−の変形例を示す断面図。
【符号の説明】
１      軸本体
２      前軸
３      後軸
３ａ    係合突起
４      先部材
５      中軸
６      スリット
７      摺動溝
８      脚部
９      クリップ部
１０    孔
１１    スライダ−
１２    摺動突起
１３    解除突起
１４    解除突起
１５    接続部
１６    筆記体
１７    弾撥部材
１８    規制部
１９    貫通孔
２０    溝部
２１    係合孔
２２    係止防止突起
２２ａ  傾斜面部
【図１】
0003700684.tif 000002
【図２】
0003700684.tif 000003
【図３】
0003700684.tif 000004
【図４】
0003700684.tif 000005
【図５】
0003700684.tif 000006
【図６】
0003700684.tif 000007
【図７】
0003700684.tif 000008
【図８】
0003700684.tif 000009
【図９】
0003700684.tif 000010
【図１０】
0003700684.tif 000011